【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
端末の動作方法であって、
コードブックに対する少なくとも１つの第１コードブックインデックスと関連付けられたＰＭＩ(ｐｒｅｃｏｄｉｎｇ  ｍａｔｒｉｘ  ｉｎｄｉｃａｔｏｒ)を決定するステップと、前記コードブックの各プリコーディング行列は基本行列及びコフェージング(ｃｏ−ｐｈａｓｉｎｇ)に基づいて、前記少なくとも１つの第１コードブックインデックス及び第２コードブックインデックスによって特定され、
前記ＰＭＩに対応するプリコーディング行列セットを用いる開ループ動作(ｏｐｅｎ−ｌｏｏｐ  ｏｐｅｒａｔｉｏｎ)に基づいて、ＣＱＩ(ｃｈａｎｎｅｌ  ｑｕａｌｉｔｙ  ｉｎｄｉｃａｔｏｒ)を決定するステップと、
前記ＰＭＩ及び前記ＣＱＩを含むＣＳＩ(ｃｈａｎｎｅｌ  ｓｔａｔｅ  ｉｎｆｏｒｍａｔｉｏｎ）を基地局に伝送するステップと、を含み、
前記少なくとも１つの第１コードブックインデックスは基本行列セットを示すために用いられ、
前記第２コードブックインデックスは前記基本行列セットから前記基本行列を示し、前記コフェージングの値を示すために用いられる方法。
【請求項２】
前記ＣＱＩは前記少なくとも１つの第１コードブックインデックスと関連付けられた前記ＰＭＩによって特定されるプリコーディング空間(ｐｒｅｃｏｄｉｎｇ  ｓｐａｃｅ)で前記開ループ動作に基づいて決定され、
前記プリコーディング空間は前記コードブックの前記プリコーディング行列セットを含む請求項１に記載の方法。
【請求項３】
前記開ループ動作は、前記プリコーディング空間で前記第２コードブックインデックスを選択することによって行われ、
前記コードブックの各プリコーディング行列ＷはＷ１及びＷ２に基づき、
前記Ｗ１は２つの偏波の各々に対する前記基本行列セットを示し、
前記Ｗ２は前記基本行列セットから前記基本行列を選択し、前記コフェージングの値を前記２つの偏波の間に適用する請求項２に記載の方法。
【請求項４】
前記ＣＱＩは、ＰＲＢ(ｐｈｙｓｉｃａｌ  ｒｅｓｏｕｒｃｅ  ｂｌｏｃｋｓ)ごとに１つのプリコーディング行列に基づいて決定され、
前記１つのプリコーディング行列は前記プリコーディング行列セットから選択される請求項２に記載の方法。
【請求項５】
前記少なくとも１つの第１コードブックインデックスは広帯域(ｗｉｄｅｂａｎｄ)に対するＰＭＩを報告するために用いられることができ、
前記第２コードブックインデックスはサブバンド(ｓｕｂｂａｎｄ)に対するＰＭＩを報告するために用いられることができる請求項１に記載の方法。
【請求項６】
前記ＣＱＩはランクインジケータ(ｒａｎｋ  ｉｎｄｉｃａｔｏｒ、ＲＩ)を含み、
前記ＣＱＩは前記ＰＭＩ及び前記ＲＩに基づいて決定され、
前記少なくとも１つの第１コードブックインデックスは、第１次元に対する第１インデックス及び第２次元に対する第２インデックスを含む請求項１に記載の方法。
【請求項７】
前記基地局から前記ＣＳＩで前記第２コードブックインデックスと関連付けられたＰＭＩを報告しないように前記端末を設定するための情報を受信するステップをさらに含む請求項１に記載の方法。
【請求項８】
端末であって、
少なくとも１つのプロセッサと、
前記少なくとも１つのプロセッサと作動的に結合される少なくとも１つの送受信機を含み、
前記少なくとも１つのプロセッサは、コードブックに対する少なくとも１つの第１コードブックインデックスと関連付けられたＰＭＩ(ｐｒｅｃｏｄｉｎｇ  ｍａｔｒｉｘ  ｉｎｄｉｃａｔｏｒ)を決定し、前記コードブックの各プリコーディング行列は基本行列及びコフェージング(ｃｏ−ｐｈａｓｉｎｇ)に基づいて、前記少なくとも１つの第１コードブックインデックス及び第２コードブックインデックスによって特定され、
前記ＰＭＩに対応するプリコーディング行列セットを用いる開ループ動作(ｏｐｅｎ−ｌｏｏｐ  ｏｐｅｒａｔｉｏｎ)に基づいて、ＣＱＩ(ｃｈａｎｎｅｌ  ｑｕａｌｉｔｙ  ｉｎｄｉｃａｔｏｒ)を決定し、
前記ＰＭＩ及び前記ＣＱＩを含むＣＳＩ(ｃｈａｎｎｅｌ  ｓｔａｔｅ  ｉｎｆｏｒｍａｔｉｏｎ）を基地局に伝送するように構成され、
前記少なくとも１つの第１コードブックインデックスは基本行列セットを示すために用いられ、
前記第２コードブックインデックスは前記基本行列セットから前記基本行列を示し、前記コフェージングの値を示すために用いられる端末。
【請求項９】
前記ＣＱＩは前記少なくとも１つの第１コードブックインデックスと関連付けられた前記ＰＭＩによって特定されるプリコーディング空間(ｐｒｅｃｏｄｉｎｇ  ｓｐａｃｅ)で前記開ループ動作に基づいて決定され、
前記プリコーディング空間は前記コードブックの前記プリコーディング行列セットを含む請求項８に記載の端末。
【請求項１０】
前記開ループ動作は、前記プリコーディング空間で前記第２コードブックインデックスを選択することによって行われ、
前記コードブックの各プリコーディング行列ＷはＷ１及びＷ２に基づき、
前記Ｗ１は２つの偏波の各々に対する前記基本行列セットを示し、
前記Ｗ２は前記基本行列セットから前記基本行列を選択し、前記コフェージングの値を前記２つの偏波の間に適用する請求項９に記載の端末。
【請求項１１】
前記ＣＱＩは、ＰＲＢ(ｐｈｙｓｉｃａｌ  ｒｅｓｏｕｒｃｅ  ｂｌｏｃｋｓ)ごとに１つのプリコーディング行列に基づいて決定され、
前記１つのプリコーディング行列は前記プリコーディング行列セットから選択される請求項９に記載の端末。
【請求項１２】
前記少なくとも１つの第１コードブックインデックスは広帯域(ｗｉｄｅｂａｎｄ)に対するＰＭＩを報告するために用いられることができ、
前記第２コードブックインデックスはサブバンド(ｓｕｂｂａｎｄ)に対するＰＭＩを報告するために用いられることができる請求項８に記載の端末。
【請求項１３】
前記ＣＱＩはランクインジケータ(ｒａｎｋ  ｉｎｄｉｃａｔｏｒ、ＲＩ)を含み、
前記ＣＱＩは前記ＰＭＩ及び前記ＲＩに基づいて決定され、
前記少なくとも１つの第１コードブックインデックスは、第１次元に対する第１インデックス及び第２次元に対する第２インデックスを含む請求項８に記載の端末。
【請求項１４】
前記少なくとも１つのプロセッサは、前記基地局から前記ＣＳＩで前記第２コードブックインデックスと関連付けられたＰＭＩを報告しないように前記端末を設定するための情報を受信するように追加的に構成される請求項８に記載の端末。
【請求項１５】
基地局の動作方法であって、
コードブックに対する少なくとも１つの第１コードブックインデックスと関連付けられたＰＭＩ(ｐｒｅｃｏｄｉｎｇ  ｍａｔｒｉｘ  ｉｎｄｉｃａｔｏｒ)及びＣＱＩ(ｃｈａｎｎｅｌ  ｑｕａｌｉｔｙ  ｉｎｄｉｃａｔｏｒ)を含むＣＳＩ(ｃｈａｎｎｅｌ  ｓｔａｔｅ  ｉｎｆｏｒｍａｔｉｏｎ)を端末から受信するステップと、
前記コードブックの各プリコーディング行列は基本行列及びコフェージング(ｃｏ−ｐｈａｓｉｎｇ)に基づいて、前記少なくとも１つの第１コードブックインデックス及び第２コードブックインデックスによって特定され、
前記ＣＱＩは、前記ＰＭＩに対応するプリコーディング行列セットを用いる開ループ動作(ｏｐｅｎ−ｌｏｏｐ  ｏｐｅｒａｔｉｏｎ)に基づいて決定され、
前記少なくとも１つの第１コードブックインデックスは基本行列セットを示すために用いられ、
前記第２コードブックインデックスは前記基本行列セットから前記基本行列を示し、前記コフェージングの値を示すために用いられる方法。
【請求項１６】
前記ＣＱＩは前記少なくとも１つの第１コードブックインデックスと関連付けられた前記ＰＭＩによって特定されるプリコーディング空間(ｐｒｅｃｏｄｉｎｇ  ｓｐａｃｅ)で前記開ループ動作に基づいて決定され、
前記プリコーディング空間は前記コードブックの前記プリコーディング行列セットを含む請求項１５に記載の方法。
【請求項１７】
前記開ループ動作は、前記プリコーディング空間で前記第２コードブックインデックスを選択することによって行われ、
前記コードブックの各プリコーディング行列ＷはＷ１及びＷ２に基づき、
前記Ｗ１は２つの偏波の各々に対する前記基本行列セットを示し、
前記Ｗ２は前記基本行列セットから前記基本行列を選択し、前記コフェージングの値を前記２つの偏波の間に適用する請求項１６に記載の方法。
【請求項１８】
前記ＣＱＩは、ＰＲＢ(ｐｈｙｓｉｃａｌ  ｒｅｓｏｕｒｃｅ  ｂｌｏｃｋｓ)ごとに１つのプリコーディング行列に基づいて決定され、
前記１つのプリコーディング行列は前記プリコーディング行列セットから選択される請求項１６に記載の方法。
【請求項１９】
前記少なくとも１つの第１コードブックインデックスは広帯域(ｗｉｄｅｂａｎｄ)に対するＰＭＩを報告するために用いられることができ、
前記第２コードブックインデックスはサブバンド(ｓｕｂｂａｎｄ)に対するＰＭＩを報告するために用いられることができる請求項１５に記載の方法。
【請求項２０】
前記端末に、前記ＣＳＩで前記第２コードブックインデックスと関連付けられたＰＭＩを報告しないように前記端末を設定するための情報を送信するステップをさらに含み、
前記ＣＱＩはランクインジケータ(ｒａｎｋ  ｉｎｄｉｃａｔｏｒ、ＲＩ)を含み、
前記ＣＱＩは前記ＰＭＩ及び前記ＲＩに基づいて決定され、
前記少なくとも１つの第１コードブックインデックスは、第１次元に対する第１インデックス及び第２次元に対する第２インデックスを含む請求項１５に記載の方法。
【請求項２１】
基地局であって、
少なくとも１つのプロセッサと、
前記少なくとも１つのプロセッサと作動的に結合される少なくとも１つの送受信機を含み、
前記少なくとも１つのプロセッサはコードブックに対する少なくとも１つの第１コードブックインデックスと関連付けられたＰＭＩ(ｐｒｅｃｏｄｉｎｇ  ｍａｔｒｉｘ  ｉｎｄｉｃａｔｏｒ)及びＣＱＩ(ｃｈａｎｎｅｌ  ｑｕａｌｉｔｙ  ｉｎｄｉｃａｔｏｒ)を含むＣＳＩ(ｃｈａｎｎｅｌ  ｓｔａｔｅ  ｉｎｆｏｒｍａｔｉｏｎ)を端末から受信するように構成され、
前記コードブックの各プリコーディング行列は基本行列及びコフェージング(ｃｏ−ｐｈａｓｉｎｇ)に基づいて、前記少なくとも１つの第１コードブックインデックス及び第２コードブックインデックスによって特定され、
前記ＣＱＩは、前記ＰＭＩに対応するプリコーディング行列セットを用いる開ループ動作(ｏｐｅｎ−ｌｏｏｐ  ｏｐｅｒａｔｉｏｎ)に基づいて決定され、
前記少なくとも１つの第１コードブックインデックスは基本行列セットを示すために用いられ、
前記第２コードブックインデックスは前記基本行列セットから前記基本行列を示し、前記コフェージングの値を示すために用いられる基地局。
【請求項２２】
前記ＣＱＩは前記少なくとも１つの第１コードブックインデックスと関連付けられた前記ＰＭＩによって特定されるプリコーディング空間(ｐｒｅｃｏｄｉｎｇ  ｓｐａｃｅ)で前記開ループ動作に基づいて決定され、
前記プリコーディング空間は前記コードブックの前記プリコーディング行列セットを含む請求項２１に記載の基地局。
【請求項２３】
前記開ループ動作は、前記プリコーディング空間で前記第２コードブックインデックスを選択することによって行われ、
前記コードブックの各プリコーディング行列ＷはＷ１及びＷ２に基づいて、
前記Ｗ１は２つの偏波の各々に対する前記基本行列セットを示し、
前記Ｗ２は前記基本行列セットから前記基本行列を選択し、前記コフェージングの値を前記２つの偏波の間に適用する請求項２２に記載の基地局。
【請求項２４】
前記ＣＱＩは、ＰＲＢ(ｐｈｙｓｉｃａｌ  ｒｅｓｏｕｒｃｅ  ｂｌｏｃｋｓ)ごとに１つのプリコーディング行列に基づいて決定され、
前記１つのプリコーディング行列は前記プリコーディング行列セットから選択される請求項２２に記載の基地局。
【請求項２５】
前記少なくとも１つの第１コードブックインデックスは広帯域(ｗｉｄｅｂａｎｄ)に対するＰＭＩを報告するために用いられることができ、
前記第２コードブックインデックスはサブバンド(ｓｕｂｂａｎｄ)に対するＰＭＩを報告するために用いられることができる請求項２１に記載の基地局。
【請求項２６】
前記少なくとも１つのプロセッサは、前記端末に、前記ＣＳＩで前記第２コードブックインデックスと関連付けられたＰＭＩを報告しないように前記端末を設定するための情報を送信するように追加的に構成され、
前記ＣＱＩはランクインジケータ(ｒａｎｋ  ｉｎｄｉｃａｔｏｒ、ＲＩ)を含み、
前記ＣＱＩは前記ＰＭＩ及び前記ＲＩに基づいて決定され、
前記少なくとも１つの第１コードブックインデックスは、第１次元に対する第１インデックス及び第２次元に対する第２インデックスを含む請求項２１に記載の基地局。